(57)【要約】      （修正有）【課題】線材からなるかごを重ね合わせて積み上げ、円滑に嵌装と、取り外しができるようにすること。【解決手段】線材からなるかごの内側上部に、環状の受け線を固定し、前記かごの外側下部に、他のかごの内側上部に設けた受け線と掛止する環状の掛止線を固定し、前記受け線に、前記掛止線と掛止できる掛止部を設けたことにより、目的を達成した。【選択図】図１
0003113095.tif 000002
【実用新案登録請求の範囲】
【請求項１】
線材からなるかごの内側上部に、環状の受け線を固定し、前記かごの外側下部に、他のかごの内側上部に設けた受け線と掛止する環状の掛止線を固定し、前記受け線に、前記掛止線と掛止できる掛止部を対向する直線部に夫々設けたことを特徴とするかご。
【請求項２】
かごは、金属線からなり、上部が幅広く、下部が幅狭いテーパー側面であることを特徴とする請求項１記載のかご。
【請求項３】
掛止部は、内側への水平方向に設けた弧状の突出部としたことを特徴とする請求項１記載のかご。
【考案の詳細な説明】
【技術分野】
【０００１】
この考案は、食器その他の複数の容器を重ねて収容することのできるかごを容易円滑に嵌装又は脱抜できるように重ね合わせることを目的としたかごに関する。
【背景技術】
【０００２】
従来、学校給食などに用いるかごは、食器を収容し、その運搬、洗浄、乾燥、殺菌又は保管などの容器として使用されている。前記のように、かごに食器が入っている場合は積み重ねることはないが、かごのみをコンテナーなどに入れて、運搬する時には、全体の容積を小さくする為に、かごを積み重ねることが考えられていた。
【０００３】
前記積み重ねを可能にする為に、下になるかごの上部内側へ環状の受け線を固定し、上になるかごの下部外側に環状の掛止線を固定して、上下のかごが固く嵌らないように配慮している。
【特許文献１】実用新案登録第２５４６３０１号公報
【考案の開示】
【考案が解決しようとする課題】
【０００４】
前記のように、下のかごの上部内側に設けた環状の受け線と、上のかごの下部外側に設けた環状の掛止線とを掛止させた場合に、かごの各部（特に前記受け線と、掛止線）の寸法形状が正確に成形されていると、積み重ね状態が正確で、嵌合又は脱抜が円滑であるが、形状又は寸法、或いは形状と寸法が不正確又は変形していると、掛止不十分になって上下のかごが互に嵌り込み、外すことが困難になったり、或いは掛止不良になるなどの問題点があった。特にかごが使用中に食器の重みで変形したり、運搬時の外力（又は動揺）によって変形すると、嵌合掛止が不良になる問題点があった。
【課題を解決するための手段】
【０００５】
この考案は、下かごの上部内側に設ける環状の受け線に、上かごの下部外側に設けた環状の掛止線と掛止できる掛止部を設けることにより、かごの形状及び寸法の不正確又は変形に対して、良好に対応できるようにし、前記従来の問題点を解決したのである。
【０００６】
前記掛止部の突出量は、例えば線の直径（４ｍｍ位）とし、全体として４ｍｍ〜６ｍｍの変動寸法に対応できるようにしたものである。
【０００７】
従来の受け線と、掛止線の掛止関係は、かごの形状が正確な時には、何等の問題がなかったが、かごが使用中に変形したり、製造時の寸法精度の不良によって、上下かごの嵌り込みを生じるおそれがあった。
【０００８】
即ちこの考案は、線材からなるかごの内側上部に、環状の受け線を固定し、前記かごの外側下部に、他のかごの内側上部に設けた受け線と掛止する環状の掛止線を固定し、前記受け線に、前記掛止線と掛止できる掛止部を対向する直線部に夫々設けたことを特徴とするかごであり、かごは、金属線からなり、上部が幅広く、下部が幅狭いテーパー側面であるものであり、掛止部は、内側への水平方向に設けた弧状の突出部としたものである。
【０００９】
前記掛止部は、弧状の突出部の他、前記趣旨により、掛止線を掛止できる作用効果を奏する形状は何れも採用することができる。
【００１０】
前記製造上の寸法違い、又は変形による嵌合不良は、主として４ｍｍ以内に収まるが、受け線と、掛止線の最大ずれを６ｍｍにすれば、殆んど不良品にならない。従って、突出量を６ｍｍを上限とした。尤も突出量が多過ぎると、上かごの内側へ環状に設けた補強線が突出部へ引っ掛らなければ目的を達成できるので、６ｍｍ以上になっても支障がない場合が多い。
【００１１】
前記のように、この考案のかごは、多少の変形又は寸法相違があった場合でも、円滑に嵌装又は脱抜できる特徴があり、不良品が殆んどなくなり、取扱いも容易となった。
【００１２】
この考案におけるかごは、図２に示すように、平面視で矩形である（正方形でも同様）。従って、受け線と、掛止線は共に方形環状であって、通常隅部は弧状に形成されている。即ち、方形環状の受け線又は掛止線は直線部４辺と、弧状部４個より形成されている。
【００１３】
この考案は、直線部に掛止部を設けるので、高精度で、かつ確実に成形することができる。
【考案の効果】
【００１４】
この考案によれば、環状の受け線に、内側へ水平方向の掛止部を設けたので、掛止線又は受け線の一方又は両方が変形しても、かごの嵌合と脱抜が円滑かつ容易に行われる効果がある。
【００１５】
またかごの成形精度の許容度が大きくなり、嵌合不良品の発生が少なくなる効果がある。
【００１６】
前記嵌合が予定通り行われる結果、修正その他嵌合不良に基づく不良品の発生率が激減する効果がある。
【００１７】
また、掛止部を弧状の突出部とすることによって、内側へ入れるかごの挿入が円滑になる効果がある。
【考案を実施するための最良の形態】
【００１８】
この考案は、線材からなるかごの内側上部に環状の受け線を固定し、該受け線に前記かごの外側下部に、固定した環状の掛止線と掛止する突出部を設ける。
【００１９】
前記掛止線は、通常前記受け線と掛止するが、掛止線又は受け線が変形し、又は成形時の寸法精度が不十分であっても、受け線の突出部により掛止状態を維持できるようにしたものである。
【実施例１】
【００２０】
この考案の実施例を図１、２について説明すると、金属線材よりなるかご本体１の上部内側に、方形環状の受け線２を水平状に固定し、該受け線２の左右両辺（図２）へ、内側に向けて弧状の突出部２ａ、２ａ（掛止部）を夫々二箇所水平方向に突出させ、前記かご本体１の下部外側へ、環状の掛止線３を固定して、この考案のかご４を構成した。
【００２１】
前記かご本体１は、上部枠線５に、複数のコ状線６、６（上向きにする）の上端を溶接して側面及び底面を形成し、前記コ状線６、６に上下の水平環状線７、８及び隅部のコ状線（上向き）９、１０で対角状に補強し、堅固な金属かご４を構成している。
【００２２】
前記水平環状線７、８と、弧状線６、６とは、上部の環状線７を外側にして、下部環状線８を内側にしている。またコ状線９、１０は、何れを上部にしても同様である。前記下部環状線８を内側にしたので、上下かごの嵌装の際、邪魔になるおそれはない。
【００２３】
前記における掛止線の自由度はＬ（図３（ｂ））であるが、一部については、Ｌ１でもよいと思われる。要するに、掛止線が受け線から外れなければ正確に掛止される。
【００２４】
前記突出部は、環状受け線の補強になって、かごのねじれ、又はゆがみに抵抗し、全体の変形抵抗となる利点がある。また、掛止部を弧状にしたので、上かごの嵌挿を容易にするのみならず、手が触れても傷つくおそれがないなどの利点がある。
【図面の簡単な説明】
【００２５】
【図１】この考案のかごの重なり状態を示す正面図。
【図２】同じくかごの平面図。
【図３】（ａ）同じく受け線と掛止線の重なりを示す拡大平面図、（ｂ）同じく重なり部の一部拡大断面図。
【符号の説明】
【００２６】
１  かご本体
２  受け線
３  掛止線
４  かご
５  上部枠線
６  コ状線
７、８  環状線
９、１０  コ状線
【図１】
0003113095.tif 000003
【図２】
0003113095.tif 000004
【図３】
0003113095.tif 000005